(57)【要約】【課題】装着時において、外観の印象が通常の衣服を着ている状態と変わりない、子守帯としての機能を有する、ファッション性、カジュアル性に富み、男性にあっても、何ら違和感なく使用することのできる親子服を提供する。【解決手段】親側服１００の袖口裏面領域１０２に施されたデザイン１０２ａ，１０２ｂの少なくともいずれか一方と、子供キャリア２００の背面支持領域２０１に施されたデザイン２０１ａとは、同じデザインが採用されている。【選択図】　　　　図２
2004011046.tif 000002
【特許請求の範囲】
【請求項１】
親が着用するための親側服と、
前記親側服に着脱可能に設けられ、子供を抱っこするための子側キャリアと、を備える親子服であって、
前記親側服に設けられる袖の袖口を裏返すことにより表面側に露出する袖口裏面領域に施されるデザインと同じデザインが、前記子側キャリアの所定領域に施されることを特徴とする、親子服。
【請求項２】
前記子側キャリアにおいて、子供を背面側からサポートする背面支持領域が設けられ、この背面支持領域に前記袖口裏面領域に施されるデザインと同じデザインが施される、請求項１に記載の親子服。
【請求項３】
前記背面支持領域において、帯状にデザインが施される、請求項２に記載の親子服。
【発明の詳細な説明】
【０００１】
【発明の属する技術分野】
この発明は、育児に用いられる子守帯を兼ね備える親子服に関する。
【０００２】
【背景の技術】
近年、父親の育児参加を促すため、従来の子守帯を発展させたものとして、たとえば、本出願と同一の出願人によってなされた、特願２００２−９９０２９の「親子服」が挙げられる。この親子服は、親が着用するための親側服としてのブルゾンと、このブルゾンに着脱可能に設けられ、子供を抱っこするための子側キャリア（子供服を含む）とを有している。
【０００３】
【発明が解決しようとする課題】
ここで、上記したように、母親だけでなく父親の育児参加を促すためには、親子服のデザインが重要となり、「かっこいい」デザインであれば、父親に自発的な親子服着用の意思が芽生えさせ、何ら抵抗なく進んで育児に参加することできるようになると考えられる。
【０００４】
したがって、この発明は、上記課題を解決するためになされたものであり、ファッション性、カジュアル性に富み、男性にあっても、何ら違和感なく使用することのできる親子服を提供することを目的とする。
【０００５】
【課題を解決するための手段】
この発明に基づいた親側服においては、親が着用するための親側服と、上記親側服に着脱可能に設けられ、子供を抱っこするための子側キャリアとを備える親子服であって、上記親側服に設けられる袖の袖口を裏返すことにより表面側に露出する袖口裏面領域に施されるデザインと同じデザインが、上記子側キャリアの所定領域に施されることを特徴とする。
【０００６】
このように、親側服の袖口裏面領域に施されるデザインと同じデザインが子側キャリアに施されることにより、親側服と子側キャリアとのコンビネーションが強調されるとともに、全体としてのデザインの調和を図ることが可能になり、親側服と子側キャリアとの間に一体感が生まれ、ファッション性およびカジュアル性を高めることが可能になる。その結果、看る者への親子服のインパクトが高まり、看る者への興味を高め、いわゆる「かっこよさ」を強調することが可能になり、特に父親の着用による育児参加をより一層促すことが可能になる。なお、ここでのデザインとは、色、柄、模様等の視覚を通じて認識できるもののことを意味する。
【０００７】
また、上記親子服において、好ましい形態としては、上記子側キャリアにおいて、子供を背面側からサポートする背面支持領域が設けられ、この背面支持領域に上記袖口裏面領域に施されるデザインと同じデザインが施される。また、さらに好ましい形態としては、上記背面支持領域において、帯状にデザインが施される。
【０００８】
これにより、看る者の視覚により、袖口を裏返すことにより表面側に露出する袖口裏面領域に施されるデザインと背面支持領域に施されるデザインとの同一性を、容易に認識することが可能になり、デザインの統一性、一体感を強調することが可能になる。
【０００９】
【発明の実施の形態】
以下、この発明に基づいた実施の形態における親子服について、図を参照しながら説明する。
【００１０】
まず、図１および図２を参照して、この発明に基づいた実施の形態１における親側服について説明する。なお、図１は男性が本実施の形態における親側服１００を着用した場合の正面図であり、図２は子供キャリア２００を親側服１００に装着した状態を示す図である。
【００１１】
（親側服１００）
図１を参照して、親側服１００の形態は、一般的に大人１が着用するワイシャツ、ジャケット、ブルゾン等の衣服と同じ形態を有している。また、袖１０１の袖口においては、袖口を裏返すことにより表面側に露出する袖口裏面領域１０２に所定のデザイン１０２ａ，１０２ｂが施されている。デザインとしては、親側服１００の表面側とは異なる色、柄、模様を施すことが考えられ、袖口を裏返すことにより表面側に現れるデザインの意外性を楽しむことができる。
【００１２】
（子供キャリア２００）
図１を参照して、子供キャリア２００の形態は、赤ちゃん２を親１と対面するように、赤ちゃん２の背面側をサポートする背面支持領域２０１を備え、親側服１００に対して連結具２０２により着脱可能に設けられている。背面支持領域２０１の外面上部には、横方向に延びる帯状の所定のデザイン２０１ａが施されている。
【００１３】
親側服１００の袖口裏面領域１０２に施されたデザイン１０２ａ，１０２ｂの少なくともいずれか一方と、子供キャリア２００の背面支持領域２０１に施されたデザイン２０１ａとは、同じデザインが採用されている。たとえば、デザイン１０２ａとデザイン２０１ａとを同じ色彩としてオレンジ色にする。
【００１４】
このように、親側服１００の袖口裏面領域１０２に施されるデザインと同じデザインが子側キャリア２００に施されることにより、親側服１００と子側キャリア２００とのコンビネーションが強調されるとともに、全体としてのデザインの調和を図ることが可能になる。さらに、親側服１００と子側キャリア２００との間に一体感が生まれ、ファッション性およびカジュアル性を高めることが可能になる。その結果、看る者への親子服のインパクトが高まり、看る者への興味を高め、いわゆる「かっこよさ」を強調することが可能になり、特に父親の着用による育児参加をより一層促すことが可能になる。
【００１５】
図３は、子供キャリア３００の他の形態を示すものである。上記子供キャリア２００は、２・３ヶ月頃〜１２ヶ月頃の子供を対象としたものであるが、子供キャリア３００は、１２ヶ月頃から３０ヶ月頃の子供を対象としたものである。基本的構造は、上記子供キャリア２００と同様に、赤ちゃん２の背面側をサポートする背面支持領域３０１を備え、親側服１００に対して連結具３０２により着脱可能に設けられている。また、背面支持領域３０１の外面上部には、横方向に延びる帯状の所定のデザイン３０１ａが施されている。
【００１６】
なお、上記実施の形態において、子供キャリア２００，３００に施されるデザイン２０１ａ，３０１ａとして帯状のものを採用しているが、他の形態として、四角形、三角形、円形でも構わない。本質的には、親側服１００の袖口裏面領域１０２に施されるデザインと同じデザインが子側キャリア２００，３００に施されれれば、どのようなデザインの採用も可能である。
【００１７】
また、上記実施の形態において親側服１００は、前身頃が両開き型のものにつて説明したが、トレーナ、セーター等のように、前身頃が開かないタイプの衣服に適用することも可能である。
【００１８】
したがって、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【００１９】
【発明の効果】
以上、この発明に基づいた親子服によれば、看る者への親子服のインパクトが高まり、看る者への興味を高め、いわゆる「かっこよさ」を強調することが可能になり、特に父親の着用による育児参加をより一層促すことが可能になる。
【図面の簡単な説明】
【図１】男性が親側服１００を着用した場合の正面図である。
【図２】子供キャリア２００を親側服１００に装着した状態を示す図である。
【図３】子供キャリア３００を親側服１００に装着した状態を示す図である。
【符号の説明】
１　大人、２　赤ちゃん、１００　親側服、１０１　袖、１０２　袖口裏面領域、１０２ａ，１０２ｂ，２０１ａ，３０１ａ　デザイン、２００，３００　子供キャリア、２０１，３０１　背面支持領域、２０２，３０２　連結具。
【図１】
2004011046.tif 000003
【図２】
2004011046.tif 000004
【図３】
2004011046.tif 000005